(57)【要約】【課題】  隣り合う屋根材の隙間を一定にし、且つ屋根材の施工を行い易くする屋根材の隙間調整工具を提供する【解決手段】  左右方向に隣り合う屋根材３，４間に介在させる板状の隙間形成部１３と、この隙間形成部１３が屋根流れ方向にずり落ちないように屋根材３，４の肩部６に係合する係合部１４とを有し、隙間形成部１３の厚み方向の一端面が一方の屋根材３，４の側端面８に当接する第１当接部１５とされ、隙間形成部１３の厚み方向の他端面が他方の屋根材３，４の側端面８に当接する第２当接部１６とされている。【選択図】      図１
2005042443.tif 000002
【特許請求の範囲】
【請求項１】
左右方向に隣り合う屋根材（３，４）間に介在させる板状の隙間形成部（１３）と、この隙間形成部（１３）が屋根流れ方向にずり落ちないように屋根材（３，４）の肩部（６）に係合する係合部（１４）とを有し、隙間形成部（１３）の厚み方向の一端面が一方の屋根材（３，４）の側端面（８）に当接する第１当接部（１５）とされ、隙間形成部（１３）の厚み方向の他端面が他方の屋根材（３，４）の側端面（８）に当接する第２当接部（１６）とされていることを特徴とする屋根材の隙間調整工具。
【請求項２】
前記隙間形成部（１３）を屋根材（３，４）の側端面（８）に当接したとき、係合部（１４）が屋根材（３，４）の肩部（６）の端面に添うように、係合部（１４）は、隙間形成部（１３）の一端から左右方向に突出されていることを特徴とする請求項１に記載の屋根材の隙間調整工具。
【請求項３】
一方の屋根材（３，４）を野地板（５）上に固定した後、所定の隙間を開けて他方の屋根材（３，４）を左右方向に並べて野地板（５）上に固定するようにした屋根材の施工方法において、
一方の屋根材（３，４）を野地板（５）上に固定し、この一方の屋根材（３，４）の肩部（６）に隙間調整工具（１）の係合部（１４）を係合すると共に、前記一方の屋根材（３，４）の側端面（８）に隙間調整工具（１）の隙間形成部（１３）を当接し、この隙間調整工具（１）の隙間形成部（１３）を挟み込むように他方の屋根材（３，４）の側端面（８）を隙間形成部（１３）に当接して、隣り合う屋根材（３，４）に隙間を開けた後、他方の屋根材（３，４）を野地板（５）上に固定することを特徴とする屋根材の施工方法。
【発明の詳細な説明】
【技術分野】
【０００１】
本発明は、屋根材の隙間調整工具及び屋根材の施工方法に関するものである。
【背景技術】
【０００２】
屋根に葺く屋根瓦として図１１に示すようなものがある。この屋根瓦５０は、窯業系又はスレート系材料等により平板状に形成されて、その屋根瓦５０の屋根流れ方向の上部は平面視で山形状となっているものである。この屋根瓦５０を屋根に葺くには、図１１に示すように、１つの屋根瓦５０ａを釘５２などで野地板５１に固定した後、他の屋根瓦５０ｂの側端縁５３を屋根瓦５０ａの側端縁５３に突き当てて、その屋根瓦５０ｂを屋根流れ方向と直交する方向に並べていくようにしていた。
【特許文献１】特開平１１−８１５５８号公報
【発明の開示】
【発明が解決しようとする課題】
【０００３】
しかしながら、隣り合う屋根瓦５０ａと屋根瓦５０ｂとの間に、例えば１ｍｍ程度の隙間を開けるように屋根瓦５０を屋根に葺く場合、屋根瓦５０の隙間を調整する工具が無かったため、メジャー（巻き尺）等で隙間の寸法を測りながら屋根瓦５０を左右方向に並べていけなければならず、このため、隣り合う屋根瓦５０の隙間に誤差が生じ、隙間のばらつきが生じていた。また、屋根瓦５０の隙間を調整する工具が無かったため屋根瓦５０を並べるごとにメジャー等で隙間の寸法を測る必要があり、屋根瓦５０を施工するのに手間がかかっていた。
【０００４】
そこで、本発明は、上記問題点に鑑み、隣り合う屋根材の隙間を一定にし、且つ屋根材の施工を行い易くする屋根材の隙間調整工具を提供すると共に、隣り合う屋根材の隙間を一定にする屋根材の施工方法を提供することを目的とする。
【課題を解決するための手段】
【０００５】
この技術的課題を解決するための本発明の技術的手段は、左右方向に隣り合う屋根材間に介在させる板状の隙間形成部と、この隙間形成部が屋根流れ方向にずり落ちないように屋根材の肩部に係合する係合部とを有し、隙間形成部の厚み方向の一端面が一方の屋根材の側端面に当接する第１当接部とされ、隙間形成部の厚み方向の他端面が他方の屋根材の側端面に当接する第２当接部とされている点にある。
技術的課題を解決するための本発明の他の技術的手段は、前記隙間形成部を屋根材の側端面に当接したとき、係合部が屋根材の肩部の端面に添うように、係合部は、隙間形成部の一端から左右方向に突出されている点にある。
【０００６】
技術的課題を解決するための本発明の他の技術的手段は、一方の屋根材を野地板上に固定した後、所定の隙間を開けて他方の屋根材を左右方向に並べて野地板上に固定するようにした屋根材の施工方法において、一方の屋根材を野地板上に固定し、この一方の屋根材の肩部に隙間調整工具の係合部を係合すると共に、前記一方の屋根材の側端面に隙間調整工具の隙間形成部を当接し、この隙間調整工具の隙間形成部を挟み込むように他方の屋根材の側端面を隙間形成部に当接して、隣り合う屋根材に隙間を開けた後、他方の屋根材を野地板上に固定する点にある。
【発明の効果】
【０００７】
本発明によれば、隣り合う屋根材の隙間を一定にすることが可能となと共に、隣り合う屋根材に隙間を設ける場合、屋根材の屋根流れ方向と直交する方向の位置合わせが簡単にでき、屋根材の施工が行い易い。
【発明を実施するための最良の形態】
【０００８】
以下、本発明の実施の形態を図面に基づいて説明する。
図１、２は、本発明に係る隙間調整具の正面図及び側面図を示している。
この隙間調整工具１は、図５〜１０に示すように屋根２に、屋根材である軒板３又は他の屋根材である屋根瓦４を葺くときに、左右方向（屋根流れ方向と直交する方向）に隣り合う軒板（屋根材）３又は隣り合う屋根瓦（屋根材）４の隙間Ｄを一定にするための工具である。なお、図６、１０に示す２１は野地板５を支持する垂木である。
【０００９】
図３に示すように、屋根瓦４は、例えば、窯業系又はスレート系材料等により平板状に形成されて、その屋根瓦４の屋根流れ方向の上部は平面視で山形状となっており、その山形状の頂点Ｐは左右方向の中央に位置している。屋根瓦４の左右方向側端縁の屋根流れ方向の中途部には、屋根瓦４の屋根流れ方向の位置合わせをするための位置合わせマーク９が切込み状に設けられている。屋根瓦４の左右方向中途部には、釘等の固定具７を挿入するための釘孔１０が複数個設けられている。
図４に示すように、軒板３は、屋根瓦４と略同一形状となるように平板状に形成されおり、その軒板３の屋根流れ方向の上部は平面視で山形状となっており、その山形状の頂点Ｐは左右方向の中央に位置している。軒板３の左右方向中途部には、固定具７を挿入するための釘孔１０が複数個設けられている。この軒板３の屋根流れ方向の長さＬ１は、屋根瓦４の屋根流れ方向の長さＬ２に比べ小さくなっており、軒板３の屋根流れ方向と直交する方向の長さＬ３（幅）は、屋根瓦４の幅Ｌ４と略同じになっている。
【００１０】
図１、２に示すように、隙間調整工具１は、隙間形成部１３、係合部１４とを有している。隙間調整工具１の隙間形成部１３は、金属又は樹脂やその他の材料より平板状に形成されており、隙間形成部１３の厚みＤ１は、所定の厚みに設定されている（例えば１〜３ｍｍ程度）。隙間形成部１３の幅Ｌ５は、軒板３又は屋根瓦４の厚みよりも大になるように設定されている（例えば２０ｍｍ）。隙間形成部１３の屋根流れ方向の長さＬ６は、係合部１４を屋根瓦４の肩部６に係合して、屋根瓦４の側端面８に隙間形成部１３を当接したときに、隙間形成部１３の下端部が屋根瓦４の位置合わせマーク部９に重複しないように設定されている。即ち、隙間形成部１３の屋根流れ方向の長さＬ６は、屋根瓦４の肩部６（肩部６の端部６ａ）から位置合わせマーク９までの屋根流れ方向の距離よりも短く設定されている。
【００１１】
この隙間形成部１３の厚み方向の一端面は、軒板３又は屋根瓦４に当接可能な第１当接部１５とされ、軒板３又は屋根瓦４に当接可能な第２当接部１６とされている。この隙間形成部１３を左右方向に隣り合う軒板３の隙間Ｄに挿入して、軒板３間に介在させたときに、第１当接部１５は一方の軒板３の側端面８に当接するように構成され、第２当接部１６は他方の軒板３側端面８に当接するように構成されている。また、この隙間形成部１３を左右方向に隣り合う屋根瓦４の隙間Ｄに挿入して、屋根瓦４間に介在させたときに、第１当接部１５は一方の屋根瓦４の側端面８に当接するように構成され、第２当接部１６は他方の屋根瓦４の側端面８に当接するように構成されている。
【００１２】
係合部１４は、隙間形成部１３と同様に金属又は樹脂やその他の材料より平板状に形成されており、隙間形成部１３の一端から所定の角度で左右方向に突出されていて隙間形成部１３と一体化形成されている。これにより、この係合部１４は、軒板３又は屋根瓦４の上端縁（肩部６）に係合可能となっている。
この隙間調整工具１を用いて軒板３、屋根瓦４を施工するには次のようになる。なお、以降の説明において、隣り合う軒板３のうち一方（左側）の軒板を軒板３ａとし、他方（右側）の軒板を軒板３ｂとして説明する。また、隣り合う屋根瓦４のうち一方（左側）の屋根瓦を屋根瓦４ａとし、他方（右側）の屋根瓦を屋根瓦４ｂとして説明する。
【００１３】
図５〜７に示すように、屋根２のけばら側に設けられたけばら水切り部材１８に、軒板３ａの側端面８を突き当てて、軒板３ａの軒先側端部が屋根２の軒先に沿い、且つこの軒先側端部が野地板５の軒先端部に設けられた水切り部材１９よりも軒側に突出するように、軒板３ａを防水シートが葺かれた野地板５上に配置し、軒板３ａを固定具７を介して野地板５に固定する。固定した軒板３ａの右側肩部６に隙間調整工具１の係合部１４を係合すると共に、隙間調整工具１の隙間形成部１３を軒板３ａの側端面８に沿わせながら隙間形成部１３の第１当接部１５を軒板３ａの側端面８に当接する。
【００１４】
次に、隙間調整工具１の右側から隙間調整工具１の隙間形成部１３を挟み込むように軒板３ｂの側端面８を隙間形成部１３の第２当接部１６に当接すると共に、軒板３ｂの軒先側端部が軒先に沿い、且つ軒板３ｂの軒先側端部が隣り合う軒板３ａの軒先側端部と揃うように他の軒板３ｂを配置して野地板５に固定する。  そして、２つの軒板３ａ，３ｂに挟み込まれている隙間調整工具１を抜き取り、軒板３ｂの右側肩部６に隙間調整工具１を係合し、上記と同様な要領で軒板３を順に屋根２の軒先側に固定する。
軒板３の固定が終わると、図８に示すように、けばら側に配置する屋根瓦４ａを屋根流れ方向に所定の長さ（例えば半分）にカッティングし、その屋根瓦４ａの位置合わせマーク９を軒板３ａの頂部Ｐに合わせ、軒板３ａ上に屋根瓦４ａを配置した後、この屋根瓦４ａを固定具７で野地板５に固定する。このとき、けばら部側の屋根瓦４ａの側端面８は、けばら水切部材１８に沿うようになっており、又屋根瓦４ａの軒先側端部は、屋根流れ方向に軒板３ａの軒先側端部と揃うようになっている。
【００１５】
次に、固定した屋根瓦４ａの肩部６に隙間調整工具１の係合部１４を係合すると共に、隙間調整工具１の隙間形成部１３を屋根瓦４ａの側端面８に沿わせながら隙間形成部１３の第１当接部１５を屋根瓦４ａの側端面８に当接する。
そして、隙間調整工具１の右側から隙間調整工具１の隙間形成部１３を挟み込むように屋根瓦４ｂの側端面８を隙間形成部１３の隙間形成部１３の第２当接部１６に当接すると共に、屋根瓦４ｂの位置合わせマーク９を軒板３ａ，３ｂの頂部Ｐに合わせ、軒板３ａ，３ｂ上に屋根瓦４ｂを配置した後、この屋根瓦４ｂを固定具７で野地板５に固定する。そして、２つの屋根瓦４ａ，４ｂに挟み込まれている隙間調整工具１を抜き取り、屋根瓦４ｂの右側の肩部６に隙間調整工具１を係合し、上記と同様な要領で屋根瓦４を順に野地板５に固定する。第１段目の屋根瓦の噴き上げが終わると、例えば図９に示すように、棟側に向けて千鳥状に屋根瓦を葺くようにすればよい。
【００１６】
以上これらの構成によれば、隙間調整工具１の隙間形成部１３を一定の厚みＤ１を有するように形成しているので、この隙間形成部１３を一方の屋根瓦４ａの側端面８に当接した後、他方の屋根瓦４ｂを隙間形成部１３に当接する（左右方向に隣り合う屋根瓦４ａ，４ｂの側端面８の隙間Ｄに介在させる）ことで、屋根瓦４ａ，４ｂの左右方向の隙間Ｄを一定にすることができる。また、隙間調整工具１の隙間形成部１３の幅Ｌ５は、屋根瓦４ａ，４ｂの厚みよりも大になるように設定されているので、隙間形成部１３を隣り合う屋根瓦４ａ，４ｂに介在させたとき、隙間形成部１３が屋根瓦４ａ，４ｂよりも突出してその突出した部分が把手部となり、これによって、隙間調整工具１を屋根瓦４ａ，４ｂに係合したり屋根瓦４ａ，４ｂから抜き取る場合に、これらの作業がし易くなる。
【００１７】
さらに、隙間調整工具１の係合部１４を屋根瓦４ａ，４ｂの肩部６に添うように隙間形成部１３の一端から左右方向に屈曲させているので係合部１４を屋根瓦４ａ，４ｂの肩部６に係合すれば、傾斜のある屋根２であっても隙間形成部１３が屋根流れ方向にずり落ちることはないため、屋根瓦４ａ，４ｂを施工の際に隙間調整工具１を常に押さえるおく必要はなく、屋根瓦４ａ，４ｂの施工が行いやすい。
また、隙間形成部１３の屋根流れ方向の長さＬ６は、屋根瓦４ａ，４ｂの肩部６から位置合わせマーク９までの距離よりも短く設定されているので、隙間調整工具１の隙間形成部１３を屋根瓦４ａ，４ｂに当接しても位置合わせマーク９が見づらくなることがない。
【００１８】
屋根瓦４ａ，４ｂの側端部８に当接する隙間形成部１３の当接部１５が屋根瓦４ａ，４ｂの側端部８に沿うように直線状に形成されているので、屋根瓦４ａ，４ｂを隙間形成部１３に当接すると隣り合う屋根瓦４ａ，４ｂの側端部８が直線状に対向するようになるので、屋根２の屋根流れ方向の目地が揃い易い。
隙間調整工具１で軒板３を施工した場合には、屋根瓦４と同様に、軒板３の左右方向の隙間Ｄを一定にすることができる。また、隙間調整工具１の隙間形成部１３の幅Ｌ５は、軒板３ａ，３ｂの厚みよりも大になるように設定されているので、屋根瓦４の場合と同様に隙間調整工具１を軒板３ａ，３ｂに係合したり軒板３ａ，３ｂから抜き取る場合に、これらの作業がし易くなる。さらに、隙間調整工具１の係合部１４を軒板３ａ，３ｂの肩部６に添うように隙間形成部１３の一端から左右方向に屈曲させているので係合部１４を軒板３ａ，３ｂの肩部６に係合すれば、傾斜のある屋根２であっても隙間形成部１３が屋根流れ方向にずり落ちることはないため、軒板３ａ，３ｂを施工の際に隙間調整工具１を常に押さえるおく必要はなく、軒板３ａ，３ｂの施工が行いやすい。
【００１９】
なお、上記の実施の形態では、軒板３及び屋根瓦４に対応するように構成されて、隙間調整工具１を軒板３及び屋根瓦４施工時に使用しているが、隙間調整工具１を軒板３のときのみ使用するようにしても、隙間調整工具１を屋根瓦４のときのみ使用するようにしてもよい。また、隙間調整工具１は、軒板３又は屋根瓦４の屋根材に対応しているが、屋根材は軒板３及び屋根瓦４に限られずその他のものであってもよい。
【図面の簡単な説明】
【００２０】
【図１】本願発明に係る隙間調整工具の正面図である。
【図２】同側面図である。
【図３】隙間調整工具を使用する屋根瓦の正面図である。
【図４】隙間調整工具を使用する軒板の正面図である。
【図５】隙間調整工具を使用して軒板を屋根に固定した屋根の正面図である。
【図６】図５のＸ−Ｘ断面図である。
【図７】図５のＹ−Ｙ断面図である。
【図８】隙間調整工具を使用して屋根瓦を屋根に固定した屋根の正面図である。
【図９】隙間調整工具を使用して屋根瓦を屋根に固定した屋根の他の正面図である。
【図１０】図９の側面断面図である。
【図１１】従来の方法で屋根瓦を屋根に取り付けた屋根の正面図である。
【符号の説明】
【００２１】
１      隙間調整工具
３      屋根材（軒板）
４      屋根材（屋根瓦）
５      野地板
６      肩部
８      側端面
７      固定具
９      位置合わせマーク
１３    隙間形成部
１４    係合部
【図１】
2005042443.tif 000003
【図２】
2005042443.tif 000004
【図３】
2005042443.tif 000005
【図４】
2005042443.tif 000006
【図５】
2005042443.tif 000007
【図６】
2005042443.tif 000008
【図７】
2005042443.tif 000009
【図８】
2005042443.tif 000010
【図９】
2005042443.tif 000011
【図１０】
2005042443.tif 000012
【図１１】
2005042443.tif 000013